(57)【要約】      （修正有）【課題】フロア上に人を引き付ける所謂マグネットスペースを形成可能としたやぐら付カウンターを提供する。【解決手段】立位姿勢で利用可能なカウンター天板１上に２本の端部ポスト５ｂおよび１本以上の中間ポスト５ａを含む複数の柱状のポスト５を立設し、当該ポスト５の上端部間を頭上高さで天梁６により連結して、これらポスト５および天梁６によりカウンター天板１の天板面上にフレーム構造のやぐらＢを構築し、当該やぐらＢの複数個所にポスト５、天梁６およびカウンター天板１によって内側が開放されたやぐら開口ｂｏを形成するとともに、ポスト５の下端部をカウンター天板１の天板面に設けた開口部１１を貫通した位置でカウンター天板１を支持する支持構造体内に収容して連結し、カウンター天板１下には中間ポスト５ａが設けられた位置を越えて連続する蹴り込み空間が少なくともカウンター天板１と支持構造体とによって形成された構造とした。【選択図】図１
2017099735.tif 000002
【特許請求の範囲】
【請求項１】
立位姿勢で利用可能なカウンター天板上に２本の端部ポストおよび１本以上の中間ポストを含む複数の柱状のポストを立設し、当該ポストの上端部間を頭上高さで天梁により連結して、これらポストおよび天梁によりカウンター天板の天板面上にフレーム構造のやぐらを構築し、当該やぐらの複数個所にポスト、天梁およびカウンター天板によって内側が開放されたやぐら開口を形成するとともに、前記ポストの下端部を前記カウンター天板の天板面に設けた開口部を貫通した位置で当該カウンター天板を支持する支持構造体内に収容して連結し、カウンター天板下には中間ポストが設けられた位置を越えて連続する蹴り込み空間が少なくともカウンター天板と支持構造体とによって部分的に囲まれて形成されていることを特徴とするやぐら付カウンター。
【請求項２】
カウンター天板が途中屈曲してコーナー部を形成し、支持構造体の一部も異なる方向に沿って延びており、少なくとも一部の中間ポストはコーナー部に位置し、天梁も当該中間ポスト上で屈曲し、蹴り込み空間もコーナー部を介して連続している請求項１に記載のやぐら付カウンター。
【請求項３】
カウンター天板が少なくとも平面視コ字型に連続することで２以上のコーナー部を形成しており、カウンター天板が存しない位置にやぐら内側空間への出入口が形成されている請求項２に記載のやぐら付カウンター。
【請求項４】
２方向に沿って延びる支持構造体の端部間は不連続であり、中間ポストはコーナー部に別置したコーナー支持構造体に支持されている請求項２又は３に記載のやぐら付カウンター。
【請求項５】
支持構造体は、天板奥行き方向に対向する前枠部および後枠部ならびにこれら前枠部と後枠部の間を連結する上枠部及び下枠部からなる井桁構造部を有し、この井桁構造部の上枠部に有底のポスト受け部を形成して、ポストの下端部をポスト受け部に締結するようにしたものであり、さらにカウンター天板の連続する方向に隣接する井桁構造部の間を上連結部材および下連結部材で連結している請求項１〜４の何れかに記載のやぐら付カウンター。
【請求項６】
隣接する井桁構造部に亘って上連結部材の下方を閉止する位置に化粧パネルを配置して支持構造体を中空構造にし、内部に井桁構造部の内周を含んで延びる連続したダクト空間を形成している請求項５に記載のやぐら付カウンター。
【請求項７】
天梁はポストよりも幅広に設けられ、ポストと同幅の位置にポスト間に亘って延びる下向き配線ダクトを形成するとともに、ポストよりも幅広な位置にポストの傍らを通過して延びる側部レールを形成している請求項１〜６の何れかに記載のやぐら付カウンター。
【請求項８】
前記側部レールにボードの上端部を係合させ、当該ボードの下端部をカウンター天板上に接地させている請求項７に記載のやぐら付カウンター。
【発明の詳細な説明】
【技術分野】
【０００１】
本発明は、フロア上に人を引き付ける所謂マグネットスペースを効果的に形成可能としたやぐら付カウンターに関するものである。
【背景技術】
【０００２】
近年、室内空間の一部にコンプレックス（多用途）空間を形成しようという提案がある。
【０００３】
このような空間は、アメニティ（休憩）空間や、気楽に立ち寄って談話や打合せ、簡単な作業を行うといった用途に適していると考えられ、オフィス空間を始め空港等のパブリックな場所でも広がりを見せている。
【０００４】
例えば、特許文献１、２の図１に示されるもの等は、床の複数個所からポストを立ち上げ、ポストの上端部間を頭上高さで梁により連結してやぐら構造体を構成したものが知られている。このやぐら構造体には、内側空間にポストを利用して天板を支持させたり、内側空間の適宜箇所にテーブルセットを配置するなどして、やぐらの内外空間をシームレスに連続させて、人が立ち寄り易い空間を実現している。
【先行技術文献】
【特許文献】
【０００５】
【特許文献１】特開２００２−２２７４３６号公報
【特許文献２】特開２００３−３１９８３７号公報
【発明の概要】
【発明が解決しようとする課題】
【０００６】
しかしながら、かかる特許文献１、２のものは、天板をポストを避けて配置する必要があるので、天板の形状に一定の制約が伴うという課題がある。また、やぐらを床から立ち上げて天梁を接続し、天板等を支持させるために、ポストの太さや補強構造等に十分配慮しなければならないという課題がある。さらに、このやぐらは中に入って利用するものであるため、通りすがりの者を引き寄せ、簡単に立ち寄れる機能としては十分とは言いがたい。
【０００７】
本発明は、これらの課題を解決し、フロア上に人を引き付ける所謂マグネットスペースを効果的に形成可能としたやぐらカウンターを提供することを目的としている。
【課題を解決するための手段】
【０００８】
本発明は、かかる目的を達成するために、次のような手段を講じたものである。
【０００９】
すなわち、本発明のやぐら付カウンターは、立位姿勢で利用可能なカウンター天板上に２本の端部ポストおよび１本以上の中間ポストを含む複数の柱状のポストを立設し、当該ポストの上端部間を頭上高さで天梁により連結して、これらポストおよび天梁によりカウンター天板の天板面上にフレーム構造のやぐらを構築し、当該やぐらの複数個所にポスト、天梁およびカウンター天板によって内側が開放されたやぐら開口を形成するとともに、前記ポストの下端部を前記カウンター天板の天板面に設けた開口部を貫通した位置で当該カウンター天板を支持する支持構造体内に収容して連結し、カウンター天板下には中間ポストが設けられた位置を越えて連続する蹴り込み空間が少なくともカウンター天板と支持構造体とによって部分的に囲まれる位置に形成されていることを特徴とする。
【００１０】
このようにすれば、天板がポストを避ける必要がないので、天板の設計を自由に行うことができるうえに、やぐら開口を介し外側からでも内側からでも天板面にアクセスでき、ポストが貫通される開口部の周囲にも天板面の連続性が確保されることになり、支持構造体の前方に連続した蹴り込み空間も確保して、カウンター天板の機能を損なわない。
【００１１】
また、ポストは天板の開口部とその下の支持構造体による支持によって位置決めと傾斜防止が図られるため、天板上にやぐらを立設してもやぐらを精度良く且つ変形しにくい状態で組むことができる。そのうえ、天梁にある程度の頭上高さを確保しても、支持構造体の途中からポストを立ち上げればポストの上端位置は同じでも床から立ち上げる場合に比べて実際のポストの長さは短くて済むため、見た目は細身なフレーム構造とし、やぐら開口を大きくとっても強度を始めとしてやぐらの機能を確保することが容易となる。
【００１２】
そして、やぐらの天梁の真下にカウンター天板が位置するという斬新な形態により、天梁に下向きに照明器具を取り付けた場合や、天梁から植栽を吊下げた場合の効果も従来にはないものになる。
【００１３】
自立安定性を備えつつ、やぐら付カウンターの機能を高めるためには、カウンター天板が途中屈曲してコーナー部を形成し、支持構造体の一部も異なる方向に沿って延びており、少なくとも一部の中間ポストはコーナー部に位置し、天梁も当該中間ポスト上で屈曲し、蹴り込み空間もコーナー部を介して連続していることが望ましい。
【００１４】
さらには、カウンター天板が少なくとも平面視コ字型に連続することで２以上のコーナー部を形成しており、カウンター天板が存しない位置にやぐら内側空間への出入口が形成されていることが好適である。
【００１５】
強度を損なうことなく、施工の便を向上させるためには、２方向に沿って延びる支持構造体の端部間は不連続であり、中間ポストはコーナー部に別置したコーナー支持構造体に支持されていることが有効となる。
【００１６】
支持構造体の強度を高め、ポストの下端部を適切に支持するための具体的構造としては、支持構造体は、天板奥行き方向に対向する前枠部および後枠部ならびにこれら前枠部と後枠部の間を連結する上枠部及び下枠部からなる井桁構造部を有し、この井桁構造部の上枠部に有底のポスト受け部を形成して、ポストの下端部をポスト受け部に締結するようにしたものであり、さらにカウンター天板の連続する方向に隣接する井桁構造部の間を上連結部材および下連結部材で連結しているものが効果的である。「井桁」にはロ字状も含まれる（以下、同様）。
【００１７】
この場合、配線収容や配線処理の便を簡単に高めるには、隣接する井桁構造部に亘って上連結部材の下方を閉止する位置に化粧パネルを配置して支持構造体を中空構造にし、内部に井桁構造部の内周を含んで延びる連続したダクト空間を形成していることが好ましい。
【００１８】
やぐらカウンターという新機能のもとで、天梁を積極活用するためには、天梁はポストよりも幅広に設けられ、ポストと同幅の位置にポスト間に亘って延びる下向き配線ダクトを形成するとともに、ポストよりも幅広な位置にポストの傍らを通過して延びる側部レールを形成したり、側部レールにボードの上端部を係合させ、当該ボードの下端部をカウンター天板上に接地させることが好適である。
【発明の効果】
【００１９】
本発明は、以上説明したように、カウンターの機能とやぐらの機能とを効果的に融合した斬新な形態を通じて、人を引き付ける所謂マグネットスペースとして高い機能を備えるため、特に共用スペースに配置して使用する際の使い勝手が極めて良好となるやぐら付カウンターを提供することが可能となる。
【図面の簡単な説明】
【００２０】
【図１】本発明の一実施形態に係るやぐら付カウンターを示す斜視図。
【図２】同平面図。
【図３】図１と異なるレイアウトのやぐら付カウンターを示す斜視図。
【図４】図２に対応した平面の透視図。
【図５】図４における矢視Ｘ方向の透視図。
【図６】図１の一部分解斜視図。
【図７】図４におけるＡ−Ａ線に沿って一部省略して示す断面図。
【図８】図４におけるＢ−Ｂ線に沿って一部省略して示す断面図。
【図９】同実施形態を構成するポストの平面図。
【図１０】同実施形態の２次配線空間への配線処理に関する説明図。
【図１１】同実施形態における１次配線空間および２次配線空間の通線構造を示す図。
【図１２】同実施形態における天梁の構成説明図。
【図１３】同実施形態を構成する天梁の正面図。
【図１４】同実施形態の天梁の使用例を示す図。
【図１５】同天梁の他の使用例を示す図。
【図１６】同天梁の他の使用例を示す図。
【図１７】同天梁のさらに他の使用例を示す図。
【図１８】同天梁のさらに他の使用例を示す図。
【発明を実施するための形態】
【００２１】
以下、本発明の一実施形態を、図面を参照して説明する。
【００２２】
図１は、本発明の一実施形態に係るやぐら付什器たるやぐら付カウンターＡを示す一部破砕した斜視図、図２は同平面図、図３はレイアウトを異ならせた図１に対応する斜視図である。このやぐら付カウンターＡは、カウンター本体ａと、このカウンター本体ａの上に構築されたやぐらＢとを具備している。以下、主として図１および図２のレイアウトに基づいて構成を説明し、必要に応じて図３のレイアウトに言及する。
【００２３】
カウンター本体ａは、カウンター天板１を支持構造体２、３（図４及び図３参照）によって支持したもので、カウンター天板１は、立位姿勢で利用可能な高さ（例えば１０００ｍｍ）に配され、直線部１ａの途中２箇所に屈曲したコーナー部１ｂを有し、平面視においてコ字状をなす形態に設けられて、外側の縁辺１ｃが主たる使用縁、前縁とされている。やぐら付カウンターＡを透視した平面図である図４、図４のＸ矢視図である図５に示されるように、カウンター天板１の内側の縁辺１ｄに沿って主支持構造体２およびコーナー支持構造体３が配され、外側の縁辺１ｃに沿ってカウンター天板１の下に連続した蹴り込み空間Ｓがカウンター天板１と支持構造体２（３）とによって部分的に囲まれて形成されている。
【００２４】
主支持構造体２は、図４〜図６に示されるように、カウンター天板１の直線部分１ａの一部を支持する中間支持構造部２１と、端部付近を支持する端部支持構造部２２とを有している。中間支持構造部２１は、天板奥行き方向に対向する角柱状の前枠部２１ａおよび後枠部２１ｂと、これら前枠部２１ａ及び後枠部２１ｂの上端部間を連結する一対の板状をなす上枠部２１ｃと、前記前枠部２１ａ及び後枠部２１ｂの下端部間を連結する下枠部２１ｄとを連結した金属製の井桁構造部２１ｘを有する。端部支持構造部２２は、中間支持構造部２１を半割りにした構造に相当するもので、天板奥行き方向に対向するチャネル状の前枠部２２ａおよび後枠部２２ｂと、これら前枠部２２ａ及び後枠部２２ｂの上端部間を連結する一枚の板状をなす上枠部２２ｃと、前記前枠部２２ａ及び後枠部２２ｂの下端部間を連結する下枠部２２ｄとを連結した金属製の井桁構造部２２ｘを有する。
【００２５】
これら中間支持構造部２１および端部支持構造部２２の井桁構造部２１ｘ、２２ｘはカウンター天板１の連続する方向に隣接しており、これら井桁構造部２１ｘ、２２ｘは、図４におけるＡ−Ａ線またはＢ−Ｂ線に沿ってそれぞれ一部省略した断面図として示す図７及び図８に示すように、上端部分同士を木製板状の上連結部材２３で連結するとともに、下端部分同士を金属製の下連結部材２４で連結し、さらに後端部同士を背板２５で連結している。下連結部材２４と前記各井桁構造部２１ｘ、２２ｘの下枠部２１ｄ、２２ｄとは、図６に示すように１つのチャネル状もしくは扁平箱状をなす連結材ｃがそれらの役割を兼ねている。
【００２６】
図４に示すように、２方向に沿って延びる主支持構造体２、２の端部間はコーナー部１ｂにおいて不連続であり、そのコーナー部１ｂにコーナー支持構造体３が配されている。コーナー支持構造体３は、主支持構造体２とは別置されたもので、図６に示すように４枚の金属製の板材３１を箱体状に連結した構成からなり、各板材３１の上端部側および下端部側にそれぞれ抜き孔３１ａ、３１ｂを形成して、抜き孔３１ａ、３１ｂの周囲が井桁構造をなしている。
【００２７】
中間支持構造部２１を構成する前枠部２１ａおよび後枠部２１ｂの上端には天板奥行き方向に延びる一対のステー２１ｆが剛接してあり、端部支持構造部２２を構成する前枠部２２ａおよび後枠部２２ｂの上端には天板奥行き方向に延びる１つのステー２２ｆが剛接してあり、これらのステー２１ｆ、２２ｆの上面が天板受け面に設定されている。コーナー支持構造体３１は４枚の板材３１の上端面３１ｆが天板受け面に設定されている。これらの天板受け面２１ｆ、２２ｆ、３１ｆは床から同一高さにある。
【００２８】
このようにして、天板支持構造は主天板支持構造体２及びコーナー支持構造体３が天板形状に対応してコ字型に配されたものとなっている。そして、隣接する井桁構造部２１ｘ、２２ｘに亘って図７に示すように上連結部材２１ａ（２２ａ）の下方を閉止する位置に前化粧パネル２６を配置して主支持構造体２を中空構造にし、内部に井桁構造部２１ｘ、２２ｘの内周を含んで梁６に沿って延びる配線ダクト空間Ｔを形成している。前化粧パネル２６を配置するにあたり、図６及び図７に示すように前枠部２１ａ、２２ａにスリット２１ａ１、２２ａ１を設け、前化粧パネル２６の内面から突出した下向き爪２６ａを所謂けんどん方式でスリット２１ａ１、２２ａ１に係合させるようにしている。これら前化粧パネル２６及び背板２５は図４に示すように主支持構造体２とコーナー支持構造体３の間にも亘っており、コーナー支持構造体３の内部にも配線ダクト空間Ｔが形成されている。コーナー支持構造体３の少なくとも貫孔３１ｂと中間支持構造体２の井桁構造部２１ｘの内周との間でも通線は可能とされている。
【００２９】
そして、これらの支持構造体２、３をカウンター天板１に対応してコ字型に配置し、その天板受け面にカウンター天板１を配置している。カウンター天板１は、図１に示すように複数枚を突き合わせて連続させたもので、直線部１ａは一対のステー２１ｆ、２１ｆの中央に突き合わせ面が位置し、コーナー部１ｂは後述する中間ポスト５ａの位置に突き合わせ面が位置している。隣接するカウンター天板１、１同士は下面において適宜の構造により連結されている。
【００３０】
なお、端部支持構造部２２には図１に示すエンド脚４が添設させて取り付けてある。エンド脚４は上面４ｚがカウンター天板１の上面１ｚと面一となる高さに配され、ともに連続するカウンター天板１の天板面を構成している。
【００３１】
そして、カウンター天板１の所要箇所に矩形状の貫通孔１１を設け、各々の貫通孔１１より四角柱状の中間ポスト５（５ａ）および端部ポスト５（５ｂ）を立設して、ポスト５ａ、５ｂの上端部間を頭上高さ（例えば２１００ｍｍ）で天梁６により連結して、カウンター本体ａにフレーム構造のやぐらＢを構築している。
【００３２】
ポスト５が図３に示す天板突き合わせ位置すなわち図６に示す中間支持構造部２１の位置に取り付けられる場合に対応して、中間支持構造部２１には図６に示すように一対の上枠部２１ｃ、２１ｃにそれぞれコ字型をなす板金５１を対向させて配置し、その内面にポスト５の外面を緊密に嵌合させるポスト受け具２１ｔを構成している。ポスト５が図１及び図３に示す天板端部すなわち図６に示す端部支持構造部２２の位置に取り付けられる場合に対応して、端部支持構造部２２にはコ字型をなす１つの板金５１と、エンド脚４の上端部に内面および上方に開口させて設けたポスト受け孔４１とを突き合わせた位置における内面にポスト５の外面を緊密に嵌合させるポスト受け部２２ｔを構成している。一方、ポスト５が天板コーナー部ｂすなわち図６に示すコーナー支持構造体３の位置に取り付けられる場合に対応して、コーナー支持構造体３には内部に中間壁３２を接合してその上にコ字型をなす板金３３を突き合わせて立設し、その内面にポスト５の外面を緊密に嵌合させるポスト受け部３ｔを構成している。
【００３３】
各ポスト受け部２１ｔ、２２ｔ、３ｔは、ポスト５の下端を支持する受け面を有する有底のものとされており、この受け面はポスト５の下端部を完全には塞がずポストの中空部を下方に開放する構造とされている。そして、これらのポスト受け部２１ｔ、２２ｔ、３ｔの板金にポスト５の下端部をねじにより緊締させ得るようにしている。
【００３４】
一方、ポスト５は、図９に示すようにアルミ押し出し材からなるポスト本体５２と樹脂製のカバー５３とを着脱可能とした構造をなす。
【００３５】
ポスト本体５２は、前壁５２ａ、後壁５２ｂおよびこれら前壁５２ａおよび後壁５２ｂの端部よりも内側の内面間を連結する位置に配置された左右の内壁５２ｃとを有する等断面形状のもので、前壁５２ａと内壁５２ｃとの出隅部、および後壁５２ｂと内壁５２ｃとの出隅部に外向きＣ字状の溝５２ｄが形成されるとともに、前壁５２ａと後壁５２ｂの端部にそれぞれ相寄る方向に延びる当たり片５２ｅが、またＣ字状の溝５２ｄの先端に互いに相寄る方向に延びる爪部５２ｆが形成されており、内側に周囲が閉止された１次配線空間Ｐ１を形成している。溝５２ｄは梁６の取付孔として利用される。
【００３６】
他方、カバー５３は、板状のカバー本体５３ａの内面に、前記爪部５２ｆに係合する位置に爪状の被係合５３ｆ部と、この被係合部５３ｆが爪部５２ｆに係合した位置で前記当たり片５２ｅに突き当たる被当接部５３ｅとを突設したもので、係合位置でカバー本体５３ａとポスト本体５２の内壁５２ｃとの間にそれぞれ２次配線空間Ｐ２を閉止可能とされている。カバー５３はポスト本体５２に対し短寸に構成されており、図１０に示すように梁６とカウンター天板１の間で着脱して当該カウンター天板１上で２次配線空間Ｐ２の開閉が行えるようにしてある。特に同図に示す中間ポスト５ａでは２次配線空間Ｐ２は１次配線空間Ｐ１に対して梁６が延びる方向に２つ設けられ、各々がカバー５３によって開閉可能とされている。この図１０は図３のレイアウトに対応した図であるが、図１のレイアウトにおいてコーナーに配置される中間ポスト５ａもこれに準じて直交２面にカバー５３が設けられる。
【００３７】
ポスト５の上端部は、図１１に示すように一部を切り欠いて２次配線空間Ｐ２を側方に開放する第１開口５４が設けられ、ポスト５の下端部は前述したように中空部が下方に解放された第２開口５５とされていて、１次配線空間Ｐ１および２次配線空間Ｐ２が下方の配線ダクト空間Ｔに臨む構造とされている。
【００３８】
一方の天梁６は、図１１及び図１２に示すように、アルミ成型体により構成されてポスト５の上端部に接続される端部梁６１と、アルミ押し出し材よりなり左右の端部梁６１、６１の間を接続する梁本体６２とからなる。梁本体６２は図１３に示すように、前後壁６２ａ、６２ｂの上半部の領域を上壁６２ｃ及び下壁６２ｄで連結した構造の等断面を有し、下壁６２ｄと前後壁６２ａ、６２ｂとで下向きコ字状で囲まれる部位（更に言えば、下壁６２ｄに垂設した前後の突条６２ｄ１、６２ｄ２の間）に給電対象物の支持部としての下向き配線ダクト６Ａを形成するとともに、上壁６２ｃと前後壁６２ａ、６２ｂとで上向きコ字状に囲まれる部位（更に言えば、上壁６２ｃに突設した前後の突条６２ｃ１、６２ｃ２の間）に給電対象物の支持部として上向き配線ダクト６Ｂとを設けている。これらの配線ダクト６Ａ、６Ｂはポスト５と略同幅をなしている。さらに、この天梁６はポスト５よりも幅広に設けられて、幅広部分の下面にポスト５の傍らを通過して延びる側部レール６ｃを形成している
【００３９】
端部梁６１は梁本体６２と略同様の断面形状であることに加えて、図１２に示すようにポスト５と天梁６の突合わせ位置を避けた位置に、２次配線を天梁６の上面に導くための天梁開口６３が設けられている。
【００４０】
以上によりこのやぐらＢは、図１１〜図１３に示すように、給電対象物の支持部である下向き配線ダクト６Ａや上向き配線ダクト６Ｂと２次配線空間Ｐ２との間がポスト５の上端部側に設けた第１開口５４、さらには天梁開口６３を通じて配線引き回し可能とされるとともに、１次配線空間Ｐ１および前記２次配線空間Ｐ２と支持構造体２、３内の配線ダクト空間Ｔとの間がポスト５の下端部側に存する第２開口５５を通じて配線引き回し可能とされている。
【００４１】
そして、ポスト５に給電ＯＮ／ＯＦＦ用のスイッチ７を設けるとともに、下向き配線ダクト６Ａにライティングレール８１を取り付けて配線を２次配線空間Ｐ２に引き込み、上向き配線ダクト６ＢにＬＥＤ方式のライン照明８２を配して配線を天梁開口６３及び第１開口５４を通じて２次配線空間Ｐ２に引き込んで配線ダクト空間Ｔのコンセント９に接続するだけで、ポスト５に設けた共通のスイッチ７により給電ＯＮ／ＯＦＦ切り替え可能としている。
【００４２】
スイッチ７は、図９及び図１１に示すように、端子部７１を１次配線空間Ｐ１に臨ませ操作部７２をポスト５の外部に表出させてポスト本体５２の正面側に取り付けたもので、配線ダクト空間Ｔにテーブルタップ９を配し、テーブルタップ９のタップ本体９１とコンセント差込用プラグ９２の間のケーブル９３を１次配線空間Ｐ１に引き込んでケーブル９３内を通る２本の導線を分離し、うち１本を分断して各々スイッチ７の対をなす端子部７１に接続しており、スイッチ７の操作部７２によってテーブルタップ本体９１への給電ＯＮ／ＯＦＦ切り替えを可能としている。
【００４３】
ライティングレール８１自体は一般に知られたものであるため詳細は省略するが、図１４に模式的に示すように、略チャネル状のレール本体８１ａの下向き開口８１ｂの内側に幅広な係合溝８１ｃを備えるとともに、更にその上に設けた対向溝８１ｄ内に一対の電極８１ｅ、８１ｆを埋設して構成されるもので、係合溝８１ｃにペンダント照明８３の取付部８３ａを係合させ、一対の端子８３ｂ、８３ｃを対応する電極８１ｅ、８１ｆに沿って摺動可能としたものである。このレール８１ａの係合溝８１ｃには図１４（ｂ）に示すようなオプションの吊下具８４も係合可能とされ、図１４（ｃ）に示すように天梁６に植栽Ｃ等を吊下げることも可能とされている。
【００４４】
図１５及び図１６は、天梁６の支持部として天梁６全体を利用した例を示しており、半割構造をなす取付具８４ａをねじ８４ｂを用いて天梁６を抱くように取り付け、この取付具８４ａにプロジェクタ８４を吊り下げたものであり、ライティングレール８１から給電可能とされたものである。
【００４５】
また、図１７及び図１８は、天梁６の側部レール６ｃにボード８５の上端部８５ａを係合させ、当該ボード８５の下端部８５ｂをアジャスタ８５ｃを介してカウンター天板１上に接地させる使用例を示している。
【００４６】
なお、図７及び図８等に示されるように、天板１の外側の縁辺１ｃの下方には補助配線ダクト１ｅを介してコンセントｃ１が取り付けてあり、内側の縁辺１ｄの下方には背板２５を介してコンセントｃ２が取り付けてある。
【００４７】
また、図１、図３等に示されるように、カウンター天板１によって囲繞される内側空間には、カウンター天板１の内側の縁辺１ｄに沿って天板ｆ１や脚ｆ２等を備えた補助家具Ｆが設置されている。図示例の補助家具Ｆは特にカウンター本体ａとは連結されておらず、設置や移動が自由とされている。図示例の天板ｆ１はカウンター天板１よりも若干天板面が低く、前述した背板２５のコンセントｃ２が利用可能とされている。
【００４８】
このように構成されるやぐら付カウンターＡは、やぐらＢの外側ではカウンター天板１に立位で凭れ掛かり、或いはスツールを使ってちょい掛けすることで利用することができ、内側にはテーブルや冷蔵庫等を設置するなどしてアメニティスペースその他種々の一時的な立ち寄り場所として利用に供することができる。
【００４９】
以上のように、本実施形態のやぐら付カウンターＡは、立位姿勢で利用可能なカウンター天板１上に２本の端部ポスト５ｂおよび１本以上の中間ポスト５ａを含む複数の柱状のポスト５を立設し、当該ポスト５の上端部間を頭上高さで天梁６により連結して、これらポスト５および天梁６によりカウンター天板１の天板面上にフレーム構造のやぐらＢを構築し、当該やぐらＢの複数個所にポスト５、天梁６およびカウンター天板１によって内側が開放されたやぐら開口ｂｏを形成するとともに、ポスト５の下端部をカウンター天板１の天板面に設けた開口部１１を貫通した位置でカウンター天板１を支持する支持構造体２、３内に収容して連結し、カウンター天板１下には中間ポスト５ａが設けられた位置を越えて連続する蹴り込み空間Ｔがカウンター天板１と支持構造体２（３）とによって部分的に囲まれて形成されたものである。
【００５０】
すなわち、この種のカウンター天板１は立ち寄り易く、気軽に利用できる機能があり、そのために見た目のカウンター天板１の天板面の連続性と蹴り込み空間Ｔの連続性が大事になる。かたや、やぐらＢは居住空間をシームレスに区画することで人を落ち着かせる機能があり、そのために天梁６はある程度の頭上高さである必要がある。本実施形態は、カウンター天板１ややぐらＢの機能を損なわずに、やぐら付カウンターＡに就いた者がやぐらＢの中に居る心地よい状況に身を置くことができて、人を引き寄せる効果の高いマグネット機能を実現することができる。
【００５１】
具体的には、カウンター天板１がポスト５を避ける必要がないので、カウンター天板５の設計を自由に行うことができるうえに、やぐら開口ｂｏを介し外側からでも内側からでも天板面にアクセスでき、ポスト５が貫通される開口部１１の周囲にも天板面の連続性が確保されることになり、支持構造体２、３の前方に連続した蹴り込み空間Ｔも確保して、カウンター天板１の機能を損なわないものにすることができる。
【００５２】
また、ポスト５はカウンター天板１の開口部１１とその下の支持構造体２、３による支持によって位置決めと傾斜防止が図られるため、カウンター天板１上にやぐらＢを立設してもやぐらＢを精度良く且つ変形しにくい状態で組むことができる。そのうえ、天梁６にある程度の頭上高さを確保しても、ポスト５が支持構造体２、３の途中から立ち上がった構造であるがゆえにポスト５の上端位置は同じでも床から立ち上げる場合に比べて実際のポスト５の長さは短くて済むため、見た目は細身なフレーム構造とし、やぐら開口ｂｏを大きくとっても強度を始めとしてやぐらの機能を十部に確保することができる。
【００５３】
そして、やぐらＢの天梁６の真下にカウンター天板１が位置するという斬新な形態によって、天梁６に下向きにペンダント照明８３等の照明器具を取り付けた場合や、天梁６から植栽Ｃを吊下げた場合等の効果も従来にはないものにすることができる。
【００５４】
また、カウンター天板６が途中屈曲してコーナー部１ｂを形成し、支持構造体２、２も異なる方向に沿って延びており、中間ポスト５ａはコーナー部１ｂに位置し、天梁６も中間ポスト５ａ上で屈曲し、蹴り込み空間Ｔもコーナー部１ｂを介して連続した構成としている。
【００５５】
このため、やぐらＢを立体的なものにすることができ、コーナー部１ｂにおいても天板面や蹴り込み空間Ｔの連続性が確保されるうえに、支持構造体２が異なる２方向に配置されることでやぐら付カウンターＡの自立性が安定し、これに伴ってやぐらＢ全体もより倒れや歪みに強い構造にすることができる。
【００５６】
さらに、本実施形態では、カウンター天板１が少なくとも平面視コ字型に連続することで２以上のコーナー部１ｂを形成しており、カウンター天板１が存しない位置にやぐら内側空間への出入口Ｙが形成されている。
【００５７】
このため、内側に囲まれ感のある空間を形成して、内側からでも外側からでも天板面を利用することができ、やぐらＢの内側空間と外側空間をやぐら開口ｂｏを通してシームレスに連続させ、やぐらＢの内側空間の利用価値も出入口Ｙを通じて実効あるものにすることができる。
【００５８】
この場合、２方向に沿って延びる支持構造体２、２の端部間は不連続であり、中間ポスト５ａはコーナー部１ｂに別置したコーナー支持構造体３に支持させた構成としている。
【００５９】
このように、コーナー支持構造体３を切り離すことで、施工の便を向上させることができ、２方向の支持構造体２，２との間はカウンター天板１を介して連結することでカウンター付やぐらＡ全体の強度を確保することができる。
【００６０】
支持構造体２の具体的な構成としては、天板奥行き方向に対向する前枠部２１ａ（２２ａ）および後枠部２１ｂ（２２ｂ）ならびにこれら前枠部２１ａ（２２ａ）と後枠部２１ｂ（２２ｂ）の間を連結する上枠部２１ｃ（２２ｃ）及び下枠部２１ｄ（２２ｄ）からなる井桁構造部２１ｘ（２２ｘ）を有し、この井桁構造部２１ｘ（２２ｘ）の上枠部２１ａ（２２ａ）に有底のポスト受け部２１ｔ（２２ｔ）を形成して、ポスト５の下端部をポスト受け部２１ｔ（２２ｔ）に締結するようにしたものであり、さらにカウンター天板１の連続する方向に隣接する井桁構造部２１ｘ、２２ｘの間を上連結部材２３および下連結部材２４で連結している。
【００６１】
このため、支持構造体の強度を高め、ポストの下端部を適切に支持することができる。
【００６２】
この場合、隣接する井桁構造部２１ｘ、２２ｘに亘って上連結部材２３の下方を閉止する位置に化粧パネル２６を配置して背板２５とも協働して支持構造体２を中空構造にし、内部に井桁構造部２１ｘ、２２ｘの内周を含んで延びる連続したダクト空間（配線ダクト空間）Ｔを形成している。
【００６３】
このため、配線ダクト空間Ｔに配線類を適切に収納ことができ、配線処理も化粧パネル２６の着脱を通じて容易に行うことができる。
【００６４】
さらに、天梁６はポスト５よりも幅広に設けられ、ポスト５と同幅の位置にポスト５、５間に亘って延びる下向き配線ダクト６Ａを形成するとともに、ポスト５よりも幅広な位置にポスト５の傍らを通過して延びる側部レール６ｃを形成している。
【００６５】
このため、下向き配線ダクト６Ａにはポスト５に突き当たる位置でポスト５内の配線を適切に引き出すことができ、側部レール６ｃはポスト５の傍らを通過して連続して延びることでポスト５と干渉せずにボード８５等のオプション部材を自由な位置に取り付けることができる。
【００６６】
その際、側部レール６ｃにボード８５の上端部８５ａを係合させ、ボード８５の下端部８５ｂをカウンター天板１上にアジャスタ８５ｃを介して接地させることも可能としている。
【００６７】
このため、ボード８５を自由な位置に安定して配置することができる。
【００６８】
以上、本発明の一実施形態について説明したが、各部の具体的な構成は図示例に限定されるものではなく、本発明の趣旨を逸脱しない範囲で種々変形が可能である。
【符号の説明】
【００６９】
Ａ…やぐら付カウンター
Ｂ…やぐら
ｂｏ…やぐら開口
Ｔ…蹴り込み空間
Ｙ…出入口
１…カウンター天板
１ｂ…コーナー部
１ｃ…天板前縁
２…中間支持構造体
３…端部支持構造体
５…ポスト
５ａ…中間ポスト
５ｂ…端部ポスト
６…天梁
６Ａ…下向き配線ダクト
６ｃ…側部レール
１１…開口部
２１ａ、２２ａ…前枠部
２１ｂ、２２ｂ…後枠部
２１ｃ、２２ｃ…上枠部
２１ｄ、２２ｄ…下枠部
２１ｔ、２２ｔ…ポスト受け部
２１ｘ、２２ｘ…井桁構造部
２３…上連結部材
２４…下連結部材
８５…ボード
８５ａ…上端部
８５ｂ…下端部
【図１】
2017099735.tif 000003
【図２】
2017099735.tif 000004
【図３】
2017099735.tif 000005
【図４】
2017099735.tif 000006
【図５】
2017099735.tif 000007
【図６】
2017099735.tif 000008
【図７】
2017099735.tif 000009
【図８】
2017099735.tif 000010
【図９】
2017099735.tif 000011
【図１０】
2017099735.tif 000012
【図１１】
2017099735.tif 000013
【図１２】
2017099735.tif 000014
【図１３】
2017099735.tif 000015
【図１４】
2017099735.tif 000016
【図１５】
2017099735.tif 000017
【図１６】
2017099735.tif 000018
【図１７】
2017099735.tif 000019
【図１８】
2017099735.tif 000020